(57)【特許請求の範囲】
【請求項１】
第１の導光板と、該第１の導光板と重なるように対向配置する第２の導光板と、前記第１の導光板における一端側から前記第１の導光板に光を入射させる光源部と、前記第１の導光板における前記一端と反対の他端側で前記第１の導光板を導光する前記光源部の光を前記第２の導光板における他端側から前記光源部により近い一端側へ導く光学部材とを備えた発光パネルであって、
前記第１の導光板と前記第２の導光板とは、内部を導光する光の一部の進路を変え外部に取り出す光取出部を前記第１の導光板と前記第２の導光板とが対向する第１主面側にそれぞれ備えており、少なくとも前記第１の導光板の前記第１主面と反対側の第２主面から、前記第１の導光板および前記第２の導光板より取り出された光の合成光を放出可能であることを特徴とする発光パネル。
【請求項２】
前記第１の導光板と前記第２の導光板との間には、前記第１の導光板と前記第２の導光板との隙間を所定の間隔で保持する間隔保持部を備えていることを特徴とする請求項１に記載の発光パネル。
【請求項３】
前記光取出部は、前記第１主面側に設けた半球状の凸部であることを特徴とする請求項１または請求項２に記載の発光パネル。
【請求項４】
前記光取出部は、前記第１主面側に設けたリニアプリズム状の凸部であることを特徴とする請求項１または請求項２に記載の発光パネル。
【請求項５】
前記光取出部は、前記第１主面側に設けたＶ字状の凹部であることを特徴とする請求項１または請求項２に記載の発光パネル。
【請求項６】
請求項１ないし請求項５のいずれか１項に記載の発光パネルを備え、前記光源部を収納し鉛直方向に沿って前記第１の導光板および前記第２の導光板を立設するベース部を有することを特徴とする照明器具。
【請求項７】
請求項１ないし請求項５のいずれか１項に記載の発光パネルを備え、前記光源部を収納し鉛直方向に対して垂直な方向に沿って前記第１の導光板および前記第２の導光板を突出可能なベース部を有することを特徴とする照明器具。
【発明の詳細な説明】
【技術分野】
【０００１】
本発明は、導光板を利用した発光パネルおよびそれを用いた照明器具に関する。
【背景技術】
【０００２】
近年、ＬＥＤ（lightemitting diode）などの光源からの光を導光板の端面に入射させて、導光板で面状に広げて発光させる照明器具が利用されている。
【０００３】
この種の照明器具として、図１３に示すように、光源１０１と、第１の導光板１２１および第２の導光板１２２とを備え、両面照射が可能な面状照明装置が知られている（たとえば、特許文献１を参照）。
【０００４】
特許文献１の面状照明装置は、基端部側から先端部側に向かって厚みが減少する第１の導光板１２１を備えている。第１の導光板１２１の基端部には、光源１０１が設けられている。面状照明装置は、第１の導光板１２１と比較して全体形状の大きさが同等以下で、かつ、基端部側から先端部側に向かって厚みが減少する第２の導光板１２２を備えている。面状照明装置は、第１の導光板１２１と第２の導光板１２２とが、第１の導光板１２１の先端部と第２の導光板１２２の基端部とが同一方向に存在するように重ねられている。さらに、面状照明装置は、第１の導光板１２１の先端部と第２の導光板１２２の基端部とに向い合うように反射体１２４が配置されている。なお、第１の導光板１２１と第２の導光板１２２とは、反射部材１２３を介して重ねられている。
【０００５】
これにより特許文献１の面状照明装置では、光源１０１を第１の導光板１２１に設け、第１の導光板１２１の先端部から出射する漏れ光を第２の導光板１２２に導入することにより、第１の導光板１２１と第２の導光板１２２との両面照射が可能になる、としている。
【先行技術文献】
【特許文献】
【０００６】
【特許文献１】特開２００３−３１７５２３号公報
【発明の概要】
【発明が解決しようとする課題】
【０００７】
ところで、特許文献１の面状照明装置では、第１の導光板１２１を伝播する光を外部に出射させるため、伝播する光の光路を変換する手段を第１の導光板１２１の表面側に設けることが記載されている。しかしながら、特許文献１の面状照明装置には、第１の導光板１２１の表面側に設ける光路を変換する手段について、具体的な構成が記載されていない。ここで、光路を変換する手段は、導光板から面状に広げた光を外部に放射させるため、導光板の表面に形成させる微細な凹凸や導光板の表面に拡散材料を印刷したものなどが考えられる。面状照明装置は、たとえば、導光板の表面に微細な凹凸を適宜に設けることで、導光板の表面から面状に均一な光を放射させることが可能となる。
【０００８】
ここで、特許文献１の面状照明装置を利用して、住宅、オフィスや店舗施設照明などに利用される一般照明器具を構成する場合、一般照明器具は、光の利用効率の低下を抑制するため、面状照明装置の導光板自体を外部に露出させる場合がある。ここで、一般照明器具は、長期にわたって使用されるものであり、塵や芥が導光板の表面に付着する可能性がある。照明器具は、塵や芥が導光板の表面に付着すると光出力が低下する。また、照明器具は、導光板の表面に微細な凹凸などを形成した場合、微細な凹凸などに付着した塵や芥などの汚れを取り除くことが困難な傾向にある。
【０００９】
本発明は上記事由に鑑みて為されたものであり、その目的は、汚れを取り除くことが比較的に簡単な発光パネルおよびそれを用いた照明器具を提供する。
【課題を解決するための手段】
【００１０】
本発明の発光パネルは、第１の導光板と、該第１の導光板と重なるように対向配置する第２の導光板と、上記第１の導光板における一端側から上記第１の導光板に光を入射させる光源部と、上記第１の導光板における上記一端と反対の他端側で上記第１の導光板を導光する上記光源部の光を上記第２の導光板における他端側から上記光源部により近い一端側へ導く光学部材とを備えた発光パネルであって、上記第１の導光板と上記第２の導光板とは、内部を導光する光の一部の進路を変え外部に取り出す光取出部を上記第１の導光板と上記第２の導光板とが対向する第１主面側にそれぞれ備えており、少なくとも上記第１の導光板の上記第１主面と反対側の第２主面から、上記第１の導光板および上記第２の導光板より取り出された光の合成光を放出可能であることを特徴とする。
【００１１】
この発光パネルにおいて、上記第１の導光板と上記第２の導光板との間には、上記第１の導光板と上記第２の導光板との隙間を所定の間隔で保持する間隔保持部を備えていることが好ましい。
【００１２】
この発光パネルにおいて、上記光取出部は、上記第１主面側に設けた半球状の凸部であることが好ましい。
【００１３】
この発光パネルにおいて、上記光取出部は、上記第１主面側に設けたリニアプリズム状の凸部であることが好ましい。
【００１４】
この発光パネルにおいて、上記光取出部は、上記第１主面側に設けたＶ字状の凹部であることが好ましい。
【００１５】
上述の発光パネルを備え、上記光源部を収納し鉛直方向に沿って上記第１の導光板および上記第２の導光板を立設するベース部を有する照明器具を特徴とする。
【００１６】
上述の発光パネルを備え、上記光源部を収納し鉛直方向に対して垂直な方向に沿って上記第１の導光板および上記第２の導光板を突出可能なベース部を有する照明器具を特徴とする。
【発明の効果】
【００１７】
本発明の発光パネルにおいては、光取出部を第１の導光板と第２の導光板とが対向する第１主面側にそれぞれ備え、第１主面側と対向する第２主面側の汚れを取り除くことが比較的に簡単となる。
【００１８】
本発明の照明器具においては、上記に記載の発光パネルを備え、光源部を収納し鉛直方向に沿って第１の導光板および第２の導光板を立設するベース部を有することで、スタンド型の照明器具とすることが可能となる。
【００１９】
本発明の照明器具においては、上述の発光パネルを備え、光源部を収納し鉛直方向に対して垂直な方向に沿って第１の導光板および第２の導光板を突出可能なベース部を有することで、ブラケット型の照明器具とすることが可能となる。
【図面の簡単な説明】
【００２０】
【図１】実施形態１の発光パネルの断面説明図である。
【図２】実施形態１の発光パネルの要部を示す断面説明図である。
【図３】実施形態１の発光パネルと比較のために示す発光パネルの断面説明図である。
【図４】実施形態２の発光パネルの断面説明図である。
【図５】実施形態３の発光パネルの断面説明図である。
【図６】実施形態３の発光パネルの要部を示す断面説明図である。
【図７】実施形態４の発光パネルの断面説明図である。
【図８】実施形態４の発光パネルの要部を示す断面説明図である。
【図９】実施形態５の照明器具の斜視図である。
【図１０】実施形態５の照明器具の使用例を示す使用説明図である。
【図１１】実施形態６の照明器具の斜視図である。
【図１２】実施形態６の照明器具の使用例を示す使用説明図である。
【図１３】従来の面状照明装置を示し、（ａ）は分解斜視図、（ｂ）は断面図である。
【発明を実施するための形態】
【００２１】
（実施形態１）
以下、本実施形態の発光パネル１０について、図１および図２を用いて説明する。なお、図中において同じ構成要素に対しては、同じ番号を付している。
【００２２】
本実施形態の発光パネル１０は、図１に示すように、第１の導光板１と、第１の導光板１と重なるように対向配置する第２の導光板２と、第１の導光板１における一端１ａ側から第１の導光板１に光を入射させる光源部３とを備えている。発光パネル１０は、第１の導光板１における一端１ａと反対の他端１ｂ側で第１の導光板１を導光する光源部３の光を第２の導光板２における他端２ｂ側から光源部３により近い一端２ａ側へ導く光学部材４を備えている。特に、第１の導光板１と第２の導光板２とは、内部を導光する光の一部の進路を変え外部に取り出す光取出部５を、第１の導光板１と第２の導光板２とが対向する第１主面１ａａ側にそれぞれ備えている。発光パネル１０は、少なくとも第１の導光板１の第１主面１ａａと反対側の第２主面１ａｂから、第１の導光板１および第２の導光板２より取り出された光の合成光を放出可能としている。
【００２３】
これにより、本実施形態の発光パネル１０は、第１主面１ａａ側と対向する第２主面１ａｂ側の汚れを取り除くことが比較的に簡単となる。
【００２４】
より具体的には、本実施形態の発光パネル１０は、矩形平板状の第１の導光板１と、第１の導光板１と略同一形状で矩形平板状の第２の導光板２とを近接して重ねて配置している。第１の導光板１および第２の導光板２は、たとえば、アクリル樹脂材料を利用して形成されており透光性を備えている。第１の導光板１と第２の導光板２との間には、第１の導光板１と第２の導光板２との隙間を所定の間隔で保持する間隔保持部６を備えている。発光パネル１０は、透光性を備えた間隔保持部６により、第１の導光板１と第２の導光板２との間が、空間を介して所定の間隔で保持されている。間隔保持部６は、たとえば、酸化ケイ素やエポキシ樹脂材料などを用いて形成することができる。発光パネル１０は、発光パネル１０の外部から第１の導光板１と第２の導光板２との間に塵や芥などが侵入することを間隔保持部６が抑制することも可能となる。発光パネル１０は、第１の導光板１の一端１ａ側に沿って複数個のＬＥＤを光源部３として配置している。発光パネル１０は、第１の導光板１の一端１ａと反対の他端１ｂに、第１の導光板１から第２の導光板２へ光源部３からの光を導く光学部材４を配置している。本実施形態の発光パネル１０では、第１の導光板１の外へ放射されずに第１の導光板１の他端１ｂ側へ到達した光が第２の導光板２へ導かれるように、ステンレスなどの金属板を湾曲させた反射鏡４ａにより光学部材４を構成している。反射鏡４ａは、空間を介して第１の導光板１の他端１ｂ側および第２の導光板２の他端２ｂ側と対向して配置している。
【００２５】
また、発光パネル１０は、第１の導光板１および第２の導光板２の第１主面１ａａ側それぞれに、内部を導光する光の一部の進路を変え第１の導光板１および第２の導光板２の外部に光を取り出す光取出部５を備えている。本実施形態の発光パネル１０では、図２に示すように、第１の導光板１の光取出部５と、第２の導光板の光取出部５とを異なる形状としている。第１の導光板１の光取出部５は、第１の導光板１の第１主面１ａａ側に設けたＶ字状の凹部５ｃとしている。第２の導光板２の光取出部５は、第２の導光板２の第１主面１ａａ側から第１の導光板１側に突出する半球状の凸部５ａを第１主面１ａａ側に設けている。第１の導光板１は、第１の導光板１における一端１ａ側から入射された光源部３からの一部の光（図２の破線の矢印を参照）が、第１の導光板１の第１主面１ａａ側に設けたＶ字状の凹部５ｃで反射され、第１の導光板１の第２主面１ａｂ側から放射される。また、第２の導光板２は、第２の導光板２における他端２ｂ側から入射された光（図２の一点鎖線の矢印を参照）が、第２の導光板２の第１主面１ａａ側に設けた半球状の凸部５ａを透過して、第２の導光板２の第１主面１ａａ側から放射される。同様に、第２の導光板２では、第２の導光板２における他端２ｂ側から入射された光（図２の二点鎖線の矢印を参照）が、第２の導光板２の第１主面１ａａ側に設けた半球状の凸部５ａにより、第２の導光板２の第２主面１ａｂ側から放射される。
【００２６】
これにより、本実施形態の発光パネル１０は、第１の導光板１の第１主面１ａａとは反対側の第２主面１ａｂから、第１の導光板１および第２の導光板２より取り出された光の合成光を放出可能としている。発光パネル１０は、光源部３からの光が光取出部５により反射や屈折などされ、第１の導光板１の第２主面１ａｂから放射された合成光の配光を、視認者が視認する発光面の明るさが視認者の視点の角度によらず略同じとなるランバート配光とさせている。すなわち、発光パネル１０は、第１の導光板１の内部を導光する光の進行方向に沿った方向に指向性を持つ配光の光（図１の破線の矢印を囲む破線の領域を参照）が第１の導光板１の第２主面１ａｂから放射される。また、発光パネル１０は、第２の導光板２の内部を導光する光の進行方向に沿った方向に指向性を持つ配光の光（図１の一点鎖線の矢印を囲む二点鎖線の領域を参照）が第２の導光板２の第１主面１ａａから放射される。発光パネル１０は、第１の導光板１の第２主面１ａｂから放射される光と、第２の導光板２の第１主面１ａａから放射される光との合成光によりランバート配光を得ることができる。なお、発光パネル１０は、第２の導光板２の第２主面１ａｂから放射される光が、第２の導光板２の内部を導光する光の進行方向に沿った方向に指向性を持つ配光の光となる。したがって、発光パネル１０は、第２の導光板２の第２主面１ａｂから放射される光の指向性の中心を光源部３が配置された側に傾きを持つように調整することができる。
【００２７】
ところで、本実施形態の発光パネル１０と同様な面状に発光可能な発光パネル３０を図３に示している。本実施形態の発光パネル１０と比較のための図３に示す発光パネル３０は、矩形平板状の導光板３１と、導光板３１における一端３１ａ側から導光板３１に光を入射させる光源部３とを備えている。導光板３１は、内部を導光する光の一部の進路を変え外部に取り出す光取出部３５として微細な凹凸を、導光板３１の一方の主面３１ａａ側に設けている。発光パネル３０は、光源部３から光を導光板３１に入射すると、光取出部３５が設けられた一方の主面３１ａａと反対の他方の主面３１ａｂ側から面状の光を放射させることができる。
【００２８】
このような発光パネル３０を用いた照明器具では、導光板３１の透光性を保持したまま面発光させることができる。発光パネル３０を用いた照明器具は、発光パネル３０を消灯させた際に視認者が透光性の導光板３１を介して発光パネル３０の向こう側を視認できる。そのため、発光パネル３０を用いた照明器具では、視認者にとって発光パネル３０の存在感を小さくさせ、照明器具のデザイン性を高めることもできる。
【００２９】
しかしながら、図３に示す発光パネル３０を用いた照明器具では、光取出部３５たる微細な凹凸が外部に露出する。発光パネル３０を用いた照明器具では、長期間使用された場合、光取出部３５に汚れが付着し光の取出し効率が低下する恐れがある。特に、発光パネル３０を用いた照明器具は、発光パネル３０を消灯させた際に、視認者が導光板３１を介して発光パネル３０の向こう側を視認するためには、導光板３１の一方の主面３１ａａ側を覆うものがない方が好ましい。また、発光パネル３０は、たとえば、使用者が発光パネル３０を掃除などする場合、導光板３１の光取出部３５に付着した塵や芥を完全に除去することが難しい傾向にある。
【００３０】
また、発光パネル３０では、光源部３から入射された光が導光板３１の内部を導光して進行する原理上、導光板３１の他方の主面３１ａｂから放射される光が、光の進行方向に沿った方向に指向性を持つ配光となる傾向にある。すなわち、発光パネル３０では、光源部３が設けられる導光板３１の一端３１ａ側の光の強度が低くなる傾向にある。
【００３１】
特に、発光パネル３０を用いた照明器具では、発光パネル３０を消灯させた際に視認者が透光性の導光板３１を介して発光パネル３０の向こう側を視認できるようにするため、光を散乱反射させる拡散シートや反射シートを導光板３１に設けることができない。そのため、発光パネル３０を用いた照明器具では、一般照明で求められるランバート配光を得ることが原理的に難しい。
【００３２】
これに対し本実施形態の発光パネル１０では、第１の導光板１と第２の導光板２とが対向する第１主面１ａａ側にそれぞれ光取出部５が配置され、第２主面１ａｂ側に光取出部５が配置されていない。そのため、本実施形態の発光パネル１０では、塵や芥などが光取出部５に付着することを抑制することが可能となる。また、本実施形態の発光パネル１０は、たとえば、使用者の掃除などにより、光取出部５が配置される面が傷つくことに起因する配光特性の変化が生ずることを避けることも可能となる。さらに、本実施形態の発光パネル１０では、光取出部５を設けた第１主面１ａａと比較して、第１の導光板１および第２の導光板２の平滑な第２主面１ａｂ側を掃除することが容易となる。
【００３３】
以下、本実施形態の発光パネル１０の各構成について説明する。
【００３４】
第１の導光板１は、光源部３からの光を導入し、第１の導光板１の第２主面１ａｂから光を外部に放射することが可能なものである。第１の導光板１は、第１の導光板１の材料として、たとえば、アクリル樹脂、ポリカーボネート樹脂や石英ガラスなどを用いることができる。第１の導光板１は、たとえば、アクリル樹脂を射出成形により成形することで形成することができる。
【００３５】
第１の導光板１は、第１の導光板１の光取出部５が外部に露出しないように第１の導光板１と第２の導光板２とが対向する第１主面１ａａ側に光取出部５を設けている。第１の導光板１の第２主面１ａｂは、第１の導光板１における光取出部５が設けられた第１主面１ａａよりも平滑な表面を備えている。そのため、第１の導光板１は、第２主面１ａｂ側に塵や芥などの汚れが付着し取り除くことが困難になることを抑制することができる。
【００３６】
第１の導光板１は、発光パネル１０の形状に合わせて適宜の形状に形成することができる。したがって、第１の導光板１は、平面視が矩形状のものだけに限られず、円形状であってもよいし、他の形状であってもよい。第１の導光板１は、光源部３となる複数個のＬＥＤそれぞれを、個別に挿入可能な複数個の凹部を第１の導光板１の一端１ａ側に備えてもよい。
【００３７】
第２の導光板２は、第１の導光板１を導光する光源部３の光が導入され、第２の導光板２の第１主面１ａａの光取出部５から光を外部に放射することが可能なものである。第２の導光板２は、第２の導光板２の材料として、アクリル樹脂、ポリカーボネート樹脂や石英ガラスなどを用いることができる。第２の導光板２は、第１の導光板１の材料と同じ材料を用いて形成させてもよいし、異なる材料を用いて形成させてもよい。第２の導光板２は、たとえば、アクリル樹脂を射出成形により成形することで形成することができる。
【００３８】
第２の導光板２は、第２の導光板２の光取出部５が外部に露出しないように第１の導光板１と第２の導光板２とが対向する第１主面１ａａ側に光取出部５を設けている。第２の導光板２の第２主面１ａｂは、第２の導光板２における光取出部５が設けられた第１主面１ａａよりも平滑な表面を備えている。そのため、第２の導光板２は、第２主面１ａｂ側に塵や芥などの汚れが付着し取り除くことが困難になることを抑制することが可能となる。第２の導光板２は、発光パネル１０の形状に合わせて適宜の形状に形成することができる。したがって、第２の導光板２は、平面視が矩形状のものだけに限られず、円形状であってもよいし、他の形状であってもよい。したがって、第２の導光板２と第１の導光板１とは必ずしも同じ形状に形成させる必要もない。
【００３９】
光源部３は、照明光を出射可能なものである。本実施形態の発光パネル１０では、複数個のＬＥＤを用いている。発光パネル１０は、第１の導光板１と光源部３とを一体として固定しているものでもよいし、第１の導光板１から光源部３を交換可能に取り付けるものでもよい。また、光源部３は、ＬＥＤだけに限られない。光源部３は、第１の導光板１に対して十分に小型で高効率に発光可能なものとして、たとえば、ＬＤ(Laser diode)、冷陰極管などの蛍光灯を利用することもできる。
【００４０】
光源部３に用いられるＬＥＤは、給電により光を出射することが可能な半導体発光素子である。ＬＥＤは、たとえば、発光層に青色光が出射可能なＩｎＧａＮなどの窒化ガリウム系化合物半導体を用いたＬＥＤチップを用いることができる。ＬＥＤは、たとえば、青色光を吸収して補色となる黄色光などを出射する蛍光体が含有された封止部材で、ＬＥＤチップを封止するものでもよい。蛍光体は、たとえば、Ｅｕで付活された（Ｓｒ，Ｂａ）２ＳｉＯ４などの希土類でドープされた珪酸塩系の蛍光体、Ｃｅで付活されたＹ３Ａｌ５Ｏ１２やＣｅで付活されたＴｂ３Ａｌ５Ｏ１２などの希土類でドープされたアルミネート系の蛍光体などが挙げられる。封止部材は、蛍光体をシリコーン樹脂、エポキシ樹脂やガラスなどの透光性材料中に含有するものを用いることができる。これにより、光源部３は、たとえば、ＬＥＤチップからの青色光と、封止部材に含有された蛍光体からの黄色光との混色により、白色光などを出射させることができる。なお、ＬＥＤチップは、青色光を出射するものだけに限られず、たとえば、紫外線を出射するものでもよい。この場合、封止部材の蛍光体は、青色光を吸収して黄色光を出射するものの代わりに、紫外線を吸収し、青色光を出射する青色蛍光体、緑色光を出射する緑色蛍光体および赤色光を出射する赤色蛍光体を用いるものであってもよい。さらに、光源部３は、蛍光体を含有する封止部材を用いる代わりに、蛍光体を含有しない透光性材料で、赤色光を発光する赤色ＬＥＤチップ、緑色光を発光する緑色ＬＥＤチップおよび青色光を発光する青色ＬＥＤチップを覆ったものでもよい。なお、ＬＥＤは、ＬＥＤチップのベアチップでもよいし、ＬＥＤチップを合成樹脂などのパッケージで被覆させ外部に給電のためのリード端子が設けられた表面実装型発光ダイオードなどを用いてもよい。また、ＬＥＤは、金属製のキャンパッケージやセラミックパッケージ内にＬＥＤチップを実装させたものを用いてもよい。
【００４１】
光源部３は、たとえば、図示していない実装基板の一表面上に複数個のＬＥＤを実装させ、各ＬＥＤを実装基板の一表面側の導電体パターンなどを用いて電気的に直列接続させたものを用いることができる。複数個のＬＥＤは、実装基板の一表面側の導電体パターンを用いて電気的に並列接続や直並列接続させてもよい。また、光源部３は、異なる色調の光を発光する複数種のＬＥＤそれぞれが個別に制御されて発光可能なものでもよい。
【００４２】
光源部３は、発光パネル１０の形状や大きさに合わせて、第１の導光板１の一端１ａに沿って複数個のＬＥＤを設ければよい。また、光源部３は、矩形状の第１の導光板１の隅部だけに光源部３を設けるものでもよい。光源部３は、第１の導光板１の内部に光が出射できればよい。したがって、光源部３は、光源部３と光結合した光ファイバーを介して第１の導光板１の内部に光を入射させるものでもよい。
【００４３】
光源部３は、発光パネル１０の大きさ、形状などに応じて、ＬＥＤの個数、設置間隔や設置箇所を適宜設定することができる。ＬＥＤは、パルス駆動が比較的容易なため、ダイナミック点灯させることで、スタティック点灯した場合と比較し、出力の瞬時値を大きくすることができる。また、ＬＥＤは、パルス駆動することにより消費電力を低減させることもできる。
【００４４】
本実施形態の発光パネル１０は、第１の導光板１の内部に光を出射する光源部３を点灯制御する制御回路部（図示しない）を好適に備えている。上記制御回路部は、商用電源や電池などと電気的に接続され、上記制御回路部を介して光源部３に電力を供給できるように電気的に接続している。このような上記制御回路部は、マイクロコンピュータなどを用いて適宜構成することができる。
【００４５】
光学部材４は、第１の導光板１における一端１ａ側と反対の他端１ｂ側で第１の導光板１を導光する光源部３の光を第２の導光板２における他端２ｂ側から光源部３により近い一端２ａ側へ導くことが可能なものである。光学部材４は、たとえば、ステンレス材やアルミニウム材などの金属材を折り曲げ加工して形成させた反射鏡４ａを用いることができる。反射鏡４ａは、反射鏡４ａを適宜の形状や配置とすることで効率よく第１の導光板１から第２の導光板２側に光源部３の光を導くことが可能となる。本実施形態の発光パネル１０では、光学部材４として反射鏡４ａを用いているが、第１の導光板１から第２の導光板２側に光を導くことができればよく、反射鏡４ａだけに限られるものではない。
【００４６】
光取出部５は、第１の導光板１や第２の導光板２の内部を導光する光源部３の光の一部の進路を変え外部に取り出すことが可能なものである。光取出部５は、たとえば、第１の導光板１や第２の導光板２に設けた半球状の凸部５ａや第１の導光板１に設けたＶ字状の凹部５ｃを好適に用いることができる。光取出部５は、半球状の凸部５ａやＶ字状の凹部５ｃだけに限られず、第１の導光板１や第２の導光板２の内部を導光する光の一部の進路を変え外部に取り出すことができる限り、他の形状でもよい。
【００４７】
光取出部５は、第１の導光板１や第２の導光板２と同じ材料で形成させてもよいし、異なる材料で形成させることもできる。光取出部５は、第１の導光板１や第２の導光板２と同じ材料で形成させる場合、第１の導光板１や第２の導光板２の成形と同時に形成させることもできる。また、光取出部５は、第１の導光板１や第２の導光板２と異なる材料で形成させる場合、第１の導光板１や第２の導光板２の材料との屈折率差を調整することにより光取出し方向を調整することもできる。光取出部５は、光源部３が出射する光の発光波長、光出力や光源部３の第１の導光板１や第２の導光板２に対する位置などによって、光取出部５の形状、光取出部５の大きさや複数個の光取出部５の間隔を適宜に設定すればよい。光取出部５は、樹脂材料をドット状に印刷するシルク印刷法、型材に樹脂材料を流し込んで射出成形により形成する方法、金型による第１の導光板１や第２の導光板２への押圧加工や第１の導光板１や第２の導光板２の表面をレーザ加工する方法などにより形成することができる。また、光取出部５は、たとえば、光取出部５に対応する凹凸部位を表面に有する金型へアクリル樹脂を射出する射出成形により、第１の導光板１や第１の導光板１の成形と同時に光取出部５を形成させることもできる。
【００４８】
間隔保持部６は、第１の導光板１と第２の導光板２との間に設けられ、第１の導光板１と第２の導光板２との隙間を所定の間隔で保持することが可能なものである。間隔保持部６は、第１の導光板１と第２の導光板２とを空間を介して、所定の間隔で対向して配置できるように好適に設けられている。間隔保持部６は、第１の導光板１と第２の導光板２との隙間を所定の間隔で保持する複数個の球状物を利用することができる。間隔保持部６は、複数個の間隔保持部６を用いて第１の導光板１と第２の導光板２との隙間を所定の間隔で保持する場合、たとえば、複数個の間隔保持部６を等間隔で設けることができるが、必ずしも等間隔に設ける場合だけに限られない。間隔保持部６は、第１の導光板１と第２の導光板２との隙間を所定の間隔で保持する棒状物を利用してもよい。また、間隔保持部６は、第１の導光板１の外周部と第２の導光板２の外周部とに当接する枠状物を利用してもよい。間隔保持部６は、第１の導光板１と第２の導光板２の外周部に沿って設けられた枠状物で構成する場合、第１の導光板１と第２の導光板２との間に異物が侵入しないようにすることができる。間隔保持部６は、第１の導光板１と第２の導光板２の外周部に沿って設けられた枠状物で、第１の導光板１と第２の導光板２とで囲まれる空間を気密封止するように構成してもよい。間隔保持部６は、第１の導光板１と第２の導光板２とで囲まれる空間内で結露が生ずることを抑制できるように、第１の導光板１と第２の導光板２とで囲まれる空間と外部とを通気可能な貫通孔などを備えた枠状物で構成してもよい。同様に、間隔保持部６は、第１の導光板１と第２の導光板２とで囲まれる空間内で結露が生ずることを抑制できるように、水分が透過可能な枠状物で構成してもよい。
【００４９】
間隔保持部６は、たとえば、間隔保持部６の材料として、アクリル樹脂、エポキシ樹脂などの樹脂材料のほかに、酸化ケイ素などの無機材料を用いて形成することができる。間隔保持部６は、透光性材料を用いることで、間隔保持部６が光を吸収することや光を反射させることを抑制することができる。
【００５０】
（実施形態２）
図４に示す本実施形態の発光パネル１０は、図１の実施形態１における反射鏡４ａの代わりに、第１の導光板１および第２の導光板２と光学的に接続されたプリズム４ｂを光学部材４として用いる点が異なる。なお、実施形態１と同様の構成要素には、同一の符号を付して説明を適宜省略する。
【００５１】
本実施形態の発光パネル１０は、図４に示すように、第１の導光板１における一端１ａと反対の他端１ｂ側で第１の導光板１を導光する光源部３の光を第２の導光板２における他端２ｂ側から光源部３により近い一端２ａ側へ導く光学部材４にプリズム４ｂを使用している。
【００５２】
本実施形態の発光パネル１０は、第１の導光板１を導光する光源３の光を、第１の導光板１の外部の空気中に出すことなく第２の導光板２へ導入することができる。すなわち、光学部材４は、第１の導光板１の他端１ｂ側と第２の導光板２の他端２ｂ側とに接続させたプリズム４ｂを用いている。発光パネル１０は、光源部３からの光を空気中に光を出すことなく第１の導光板１から第２の導光板２へ導入させことができる。そのため、本実施形態の発光パネル１０は、実施形態１の発光パネル１と比較して、光取り出し効率の低下を抑制することが可能となる。さらに、本実施形態の発光パネル１０は、実施形態１の発光パネル１と比較して、長期使用などにより反射鏡４ａの反射面に塵や芥などの汚れが付着することに起因する光取出し効率の低下がない。また、光学部材４は、第１の導光板１の他端１ｂ側と第２の導光板２の他端２ｂ側とを封止するプリズム４ｂを用いることで、第１の導光板１と第２の導光板２との隙間を塞ぐ部材を兼ねることができる。これにより、光学部材４は、第１の導光板１と第２の導光板２との間に異物が侵入することを抑制することが可能となる。
【００５３】
なお、本実施形態の発光パネル１０は、第１の導光板１と、第２の導光板２と、プリズム４ｂとをそれぞれ別々に形成した後に、エポキシ樹脂などの透光性接着剤を介して、第１の導光板１と、第２の導光板２と、プリズム４ｂとを接着させて形成している。発光パネル１０は、第１の導光板１と、第２の導光板２と、プリズム４ｂとをそれぞれ別々に形成した後に、第１の導光板１と、第２の導光板２と、プリズム４ｂとを接着させて形成するものだけに限られない。したがって、発光パネル１０は、第１の導光板１および第２の導光板２と、プリズム４ｂとを一体で成形して形成するものでもよい。発光パネル１０は、第１の導光板１と、第２の導光板２と、プリズム４ｂとを一体で成形する場合、第１の導光板１および第２の導光板２と、プリズム４ｂとの光学的な接続部位での光損失を抑制することができる。また、発光パネル１０は、第１の導光板１と、第２の導光板２と、プリズム４ｂとを一体で成形する場合、第１の導光板１および第２の導光板２と、プリズム４ｂとを透光性接着剤を用いて接着させるもののように接続部位の剥離を考慮する必要がない。
【００５４】
（実施形態３）
図５に示す本実施形態の発光パネル１０は、図４に示す実施形態２の発光パネル１０における光取出部５の形状を変えた点が主として異なる。なお、実施形態２と同様の構成要素には、同一の符号を付して説明を適宜省略する。
【００５５】
本実施形態の発光パネル１０は、図５に示すように、第１の導光板１および第２の導光板２の第１主面１ａａ側に、内部を導光する光の一部の進路を変え第１の導光板１および第２の導光板２の外部に光を取り出す光取出部５を備えている。本実施形態の発光パネル１０は、図６に示すように、第１の導光板１の光取出部５と、第２の導光板の光取出部５とを異なる形状としている。第１の導光板１の光取出部５は、第１の導光板１の第１主面１ａａ側に設けたＶ字状の凹部５ｃとしている。第２の導光板２の光取出部５は、第２の導光板２の第１主面１ａａ側から第１の導光板１側に突出するように、第２の導光板２の第１主面１ａａに設けたリニアプリズム状の凸部５ｂとしている。第１の導光板１は、第１の導光板１における一端１ａ側から入射された光源部３からの一部の光（図６の破線の矢印を参照）が、第１の導光板１の第１主面１ａａ側に設けたＶ字状の凹部５ｃで反射され、第１の導光板１の第２主面１ａｂ側から放射される。また、第２の導光板２は、第２の導光板２における他端２ｂ側から入射された光（図６の一点鎖線の矢印を参照）が、第２の導光板２の第１主面１ａａ側に設けたリニアプリズム状の凸部５ｂを介して、第２の導光板２の第１主面１ａａ側から放射される。同様に、第２の導光板２では、第２の導光板２における他端２ｂ側から入射された光（図６の二点鎖線の矢印を参照）が、第２の導光板２の第１主面１ａａ側に設けたリニアプリズム状の凸部５ｂで反射され、第２の導光板２の第２主面１ａｂ側から放射される。
【００５６】
これにより、本実施形態の発光パネル１０は、第１の導光板１の第１主面１ａａとは反対側の第２主面１ａｂから、第１の導光板１および第２の導光板２より取り出された光の合成光を放出可能としている。発光パネル１０は、光源部３からの光が光取出部５により反射や屈折などされ、第１の導光板１の第２主面１ａｂから放射された合成光の配光を、視認者が視認する発光面の明るさが視認者の視点の角度によらず略同じとなるランバート配光とさせている。すなわち、発光パネル１０は、第１の導光板１の内部を導光する光の進行方向に沿った方向に指向性を持つ配光の光（図５の破線の矢印を囲む破線の領域を参照）が第１の導光板１の第２主面１ａｂから放射される。また、発光パネル１０は、第２の導光板２の内部を導光する光の進行方向に沿った方向に指向性を持つ配光の光（図５の一点鎖線の矢印を囲む一点鎖線の領域を参照）が第２の導光板２の第１主面１ａａから放射される。発光パネル１０は、第１の導光板１の第２主面１ａｂから放射される光と、第２の導光板２の第１主面１ａａから放射される光との合成光によりランバート配光を得ることができる。なお、本実施形態の発光パネル１０は、実施形態１の発光パネル１０と比較して、第２の導光板２の第２主面１ａｂから放射される光の光量を多くさせている。発光パネル１０は、第２の導光板２の第２主面１ａｂから放射される光が、第２の導光板２の内部を導光する光の進行方向に沿った方向に指向性を持つ配光の光（図５の二点鎖線の矢印を囲む二点鎖線の領域を参照）としている。したがって、発光パネル１０は、第２の導光板２の第２主面１ａｂから放射される光の指向性の中心を光源部３が配置された側に傾きを持つように調整することができる。
【００５７】
なお、本実施形態の発光パネル１０は、光取出部５として、第１の導光板１に設けたＶ字状の凹部５ｃと、第２の導光板２に設けたリニアプリズム状の凸部５ｂとの組み合わせに限らず種々のものを用いることができる。したがって、本実施形態の発光パネル１０は、光取出部５として、図示していないが、第１の導光板１に設けたＶ字状の凹部５ｃと、第２の導光板２に設けた半球状の凸部５ａとの組み合わせとすることもできる。本実施形態の発光パネル１０は、光取出部５の形状、配置や密度を適宜に設定することにより、第１の導光板１や第２の導光板２の透光性を大きく損なわずに放射する光量を制御することが可能となる。
【００５８】
（実施形態４）
図７に示す本実施形態の発光パネル１０は、実施形態２の発光パネル１０における第１の導光板１および第２の導光板２の中央部にも間隔保持部６を備えた点が主として異なる。なお、実施形態２と同様の構成要素には、同一の符号を付して説明を適宜省略する。
【００５９】
本実施形態の発光パネル１０は、図７に示すように、第１の導光板１と、第１の導光板１と重なるように対向配置する第２の導光板２と、第１の導光板１における一端１ａ側から第１の導光板１に光を入射させる光源部３とを備えている。発光パネル１０は、第１の導光板１における一端１ａと反対の他端１ｂ側で第１の導光板１を導光する光源部３の光を第２の導光板２における他端２ｂ側から光源部３により近い一端２ａ側へ導く光学部材４を備えている。特に、第１の導光板１と第２の導光板２とは、内部を導光する光の一部の進路を変え外部に取り出す光取出部５を、第１の導光板１と第２の導光板２とが対向する第１主面１ａａ側にそれぞれ備えている。発光パネル１０は、少なくとも第１の導光板１の第１主面１ａａと反対側の第２主面１ａｂから、第１の導光板１および第２の導光板２より取り出された光の合成光を放出可能としている。本実施形態の発光パネル１０は、第１の導光板１と第２の導光板２との間には、第１の導光板１と第２の導光板２との隙間を所定の間隔で保持する間隔保持部６を備えている。特に、本実施形態の発光パネル１０では、第１の導光板１および第２の導光板２の中央部にも間隔保持部６を設けている。本実施形態の発光パネル１０は、外部応力などにより第１の導光板１と第２の導光板２とが接触することで第１主面１ａａ側に傷や破損が生ずることを、間隔保持部６により抑制することが可能となる。本実施形態の発光パネル１０では、第１の導光板１および第２の導光板２の発光面の中央部に間隔保持部６を設ける場合でも、間隔保持部６に透光性を備えた材質を用いることで、発光パネル１０の透光性を阻害する要因を低下させることが可能となる。
【００６０】
なお、本実施形態の発光パネル１０では、図８に示すように、第１の導光板１の光取出部５および第２の導光板の光取出部５に、同じ形状の光取出部５を用いている。第１の導光板１の光取出部５は、第１の導光板１の第１主面１ａａ側から突出する半球状の凸部５ａを用いている。同様に、第２の導光板２の光取出部５は、第２の導光板２の第１主面１ａａ側から突出する半球状の凸部５ａを用いている。第１の導光板１は、第１の導光板１における一端１ａ側から入射された光源部３からの一部の光（図８の破線の矢印を参照）が、第１の導光板１の第１主面１ａａ側に設けた半球状の凸部５ａにより、第１の導光板１の第２主面１ａｂ側から放射される。同様に、第１の導光板１では、第１の導光板１における一端１ａ側から入射された光（図８の実線の矢印を参照）が、第１の導光板１の第１主面１ａａ側に設けた半球状の凸部５ａを透過して、第２の導光板２の第２主面１ａｂ側から放射させることが可能となる。また、第２の導光板２では、第２の導光板２における他端２ｂ側から入射された光（図８の二点鎖線の矢印を参照）が、第２の導光板２の第１主面１ａａ側に設けた半球状の凸部５ａにより、第２の導光板２の第２主面１ａｂ側から放射される。同様に、第２の導光板２では、第２の導光板２における他端２ｂ側から入射された光（図８の一点鎖線の矢印を参照）が、第２の導光板２の第１主面１ａａ側に設けた半球状の凸部５ａを透過して、第１の導光板１の第２主面１ａｂ側から放射させることが可能となる。
【００６１】
これにより、本実施形態の発光パネル１０は、第１の導光板１の第１主面１ａａとは反対側の第２主面１ａｂから、第１の導光板１および第２の導光板２より取り出された光の合成光を放出可能としている。同様に、本実施形態の発光パネル１０は、第２の導光板１の第１主面１ａａとは反対側の第２主面１ａｂから、第１の導光板１および第２の導光板２より取り出された光の合成光を放出可能としている。
【００６２】
すなわち、発光パネル１０は、第１の導光板１の内部を導光する光の進行方向に沿った方向に指向性を持つ配光の光（図７の破線の矢印を囲む破線の領域を参照）が第１の導光板１の第２主面１ａｂから放射される。発光パネル１０は、第１の導光板１の内部を導光する光の進行方向に沿った方向に指向性を持つ配光の光（図７の実線の矢印を囲む破線の領域を参照）が第２の導光板２の第２主面１ａｂから放射される。また、発光パネル１０は、第２の導光板２の内部を導光する光の進行方向に沿った方向に指向性を持つ配光の光（図７の一点鎖線の矢印を囲む一点鎖線の領域を参照）が第１の導光板１の第２主面１ａｂから放射される。発光パネル１０は、第２の導光板２の内部を導光する光の進行方向に沿った方向に指向性を持つ配光の光（図７の二点鎖線の矢印を囲む二点鎖線の領域を参照）が第２の導光板２の第２主面１ａｂから放射される。これにより本実施形態の発光パネル１０は、第１の導光板１および第２の導光板２それぞれの第２主面１ａｂから第１の導光板１および第２の導光板２の光が合成された略ランバート配光の合成光を放出可能としている。
【００６３】
（実施形態５）
図９に示す本実施形態の照明器具２０は、図５に示す実施形態３の発光パネル１０を内部に備えて構成している。なお、実施形態３と同様の構成要素には、同一の符号を付して説明を適宜省略する。
【００６４】
本実施形態の照明器具２０は、図５の実施形態３の発光パネル１０を備え、光源部３を収納し鉛直方向に沿って第１の導光板１および第２の導光板２を立設するベース部２１を有している。本実施形態の照明器具２０は、図９および図１０に示すように、スタンド型の照明器具２０であり、地面や床面などの水平面側に配置するベース部２１に光源部３を収納している。ベース部２１は、第１の導光板１の一端１ａおよび第２の導光板２の一端２ａ側を保持できるように金属板の折り曲げ加工や樹脂成形品により箱状に形成している。本実施形態の照明器具２０は、光源部３から鉛直方向に沿ってベース部２１に設けた第１の導光板１に光を出射させ、光学部材４で第２の導光板２に光を導入させている。本実施形態の照明器具２０は、第１の導光板１および第２の導光板２それぞれの第２主面１ａｂから外部に光を放射している。なお、本実施形態の照明器具２０は、第１の導光板１の一端１ａおよび第２の導光板２の一端２ａ側を除く外周部に、第１の導光板１や第２の導光板２を保護する枠体２２を好適に設けている。また、本実施形態の照明器具２０は、ベース部２１の内部に光源部３の点灯を制御する制御回路部（図示していない）を好適に内蔵している。
【００６５】
本実施形態の照明器具２０では、外部の交流電源（たとえば、商用交流電源）と図示していないケーブルを介して電気的に接続された制御回路部へ交流電力が供給される。照明器具２０は、制御回路部が商用交流電源からの交流電力を光源部３の点灯に適した電力に変換して光源部３側に供給している。
【００６６】
制御回路部は、たとえば、商用交流電源からの交流電力に混入しているノイズを除去するフィルタ回路部と、光源部３を点灯させるのに適した電力を供給する電力供給回路部と、光源部３の点灯を制御する出力制御部とを備えた構成とすることができる。フィルタ回路部は、ノイズを遮断するＡＣラインフィルタなどを用いて構成することができる。電力供給回路部は、フィルタ回路部からの交流電力を所定の直流電力に変換して出力することができる。電力供給回路部は、図示していないが、たとえば、交流電力を直流電力に整流する整流回路と、交流電力の力率を改善する力率改善回路と、整流回路で整流された直流電力の電圧から光源部３に適した電圧に変換する電圧変換回路などにより構成することができる。
【００６７】
なお、本実施形態の照明器具２０では、ベース部２１側だけに光源部３を設けることで、照明器具２０のベース部２１と対向する先端部側の枠体２２の外形を小さくさせることができる。また、本実施形態の照明器具２０では、枠体２２自体を透光性の樹脂などにより形成することもできる。これにより本実施形態の照明器具２０では、発光パネル１０を面状に発光させる場合でも光源部３への電源供給のためのケーブルなどをベース部２１側からだけ導出させるように構成することができる。
【００６８】
本実施形態の照明器具２０では、図１０に示すように、光源部３からの光が第１の導光板１の第２主面１ａｂから放射されるため、照明器具２０の近傍の垂直な壁材Ｗなどの領域（図１０の領域Ｓ１を参照）をランバート配光の光でライトアップすることができる。なお、本実施形態の照明器具２０は、たとえば、屋外で使用される場合、照明器具２０の近傍の壁材Ｗを照射するだけでなく、照明対象物たる植栽などをランバート配光の光でライトアップすることもできる。さらに、本実施形態の照明器具２０では、第２の導光板２の第２主面１ａｂから放射される所定の配光特性の光により、水平な床面や地面などの足元の領域（図１０の領域Ｓ２を参照）を照らす目的を果たすことができる。本実施形態の照明器具２０は、実施形態３の発光パネル１０を備え、実施形態３の発光パネル１０における配光を想定しているが、照明器具２０の使用用途によって実施形態１の発光パネル１０や実施形態４の発光パネル１０における配光を有するものを用いてもよい。
【００６９】
本実施形態の照明器具２０では、長期使用による汚れや使用者が発光パネル１０に触れることにより付着する指紋などの汚れを取り除くことが、比較的に簡単なスタンド型の照明器具２０とすることができる。
【００７０】
（実施形態６）
図１１に示す本実施形態の照明器具２０は、図９の実施形態５の照明器具２０がスタンド型の照明器具２０であるの対し、ブラケット型の照明器具２０を構成する点が主として異なる。なお、実施形態５と同様の構成要素には、同一の符号を付して説明を適宜省略する。
【００７１】
図１１および図１２に示す本実施形態の照明器具２０は、ブラケット型の照明器具２０を構成している。ブラケット型の照明器具２０は、壁材Ｗの内部あるいは壁面に光源部３を収納するベース部２１を取り付け可能に構成している。本実施形態の照明器具２０は、ブラケット型の照明器具２０として、天井材Ｃ側の所定の領域（図１２中のＳ１を参照）にランバート配光の光を放射して間接照明を行うことが可能に構成している。また、本実施形態の照明器具２０は、照明器具２０が取り付けられる壁材Ｗなどの鉛直面が暗くなりすぎないように、僅かに壁面の所定の領域（図１２中のＳ２を参照）に特定の配光特性を備えた光を照射させて照明器具２０が配置された空間全体の明るさ感を大きくすることが可能な構成としている。
【００７２】
本実施形態の照明器具２０は、光源部３からの光が第１の導光板１の第２主面１ａｂから放射されるため、天井材Ｃ側をランバート配光の光で照らすことが可能となる。さらに、本実施形態の照明器具２０は、第２の導光板２の第２主面１ａｂから放射される所定の配光特性の光により、ベース部２１が取り付けられる壁材Ｗ側を照らすことが可能となる。その結果として、本実施形態の照明器具２０は、天井材Ｃ側へランバート配光による間接照明ができ、発光パネル１０からの光の一部を壁材Ｗ側に照射させることで照明の演出効果を高めることが可能となる。
【００７３】
本実施形態の照明器具２０では、長期使用による汚れや使用者が発光パネル１０を触れることにより付着する指紋などの汚れを取り除くことが比較的に簡単なブラケット型の照明器具２０とすることができる。
【符号の説明】
【００７４】
１  第１の導光板
１ａ、２ａ  一端
１ｂ、２ｂ  他端
１ａａ  第１主面
１ａｂ  第２主面
２  第２の導光板
３  光源部
４  光学部材
５  光取出部
５ａ  凸部
５ｂ  凹部
６  間隔保持部
１０  発光パネル
２０  照明器具
２１  ベース部
【図１】
0005870301.tif 000002
【図２】
0005870301.tif 000003
【図３】
0005870301.tif 000004
【図４】
0005870301.tif 000005
【図５】
0005870301.tif 000006
【図６】
0005870301.tif 000007
【図７】
0005870301.tif 000008
【図８】
0005870301.tif 000009
【図９】
0005870301.tif 000010
【図１０】
0005870301.tif 000011
【図１１】
0005870301.tif 000012
【図１２】
0005870301.tif 000013
【図１３】
0005870301.tif 000014